(57)【要約】【課題】鏡を利用した背面視認装置において、使用者の正面で自己の背面を視認できるようにし、鏡が占有する平面領域を小さくする。【解決手段】背面側に背面鏡１と正面に正面鏡４、及び上方の２個の第１反射鏡２、第２反射鏡３を配置した背面視認装置であり、背面鏡１は鉛直に対して傾斜角度θ１、背面鏡１から前方に離れた上方には背面鏡１の鏡像を受ける第１反射鏡２が鉛直に対して傾斜角度θ２、第２反射鏡３が傾斜角度θ３で設置してあり、第２反射鏡３の下部には第２反射鏡３の鏡像を受ける正面鏡４が傾斜角度θ４で設置してある背面視認装置である。正面鏡４を使用者Ａの視線高さに配置し、各鏡の傾斜角度の和を１８０とすることによって水平視線で自分の背面鏡像を見ることができる。第１反射鏡２、第２反射鏡３を天井に配置できるので背面視認装置の設置場所をすっきりさせることができる。【選択図】図１
2016158882.tif 000002
【特許請求の範囲】
【請求項１】
使用者の背面を写す背面鏡と背面鏡が写した背面鏡像を使用者が見る正面鏡と背面鏡が写した背面鏡像を正面鏡に導く背面鏡と正面鏡の間の上方に設置した第１反射鏡と第２反射鏡とからなる背面視認装置であり、背面鏡は鉛直に対して角度θ１傾斜させてあり、背面鏡から前方に離れた上方には背面鏡の鏡像を受ける第１反射鏡が鉛直に対して角度θ２傾斜させてあり、第１反射鏡の前方には第２反射鏡の鏡像を受ける第２反射鏡が鉛直に対して角度θ３傾斜させてあり、更に第２反射鏡の下側には第２反射鏡の鏡像を受ける正面鏡が鉛直に対して角度θ４傾斜させてある背面視認装置。
【請求項２】
請求項１において、各鏡の鉛直に対する傾斜角(鋭角)の和（θ１＋θ２＋θ３＋θ４）が１８０であり、正面鏡が使用者の目の高さである背面視認装置。
【請求項３】
請求項２において、正面鏡の設置高さが調整可能である背面視認装置。
【請求項４】
請求項２または請求項３において、正面鏡の傾斜角度が変更可能であり、正面鏡の傾斜角度に応じて第２反射鏡の傾斜角度が変更される背面視認装置。
【発明の詳細な説明】
【技術分野】
【０００１】
この発明は、複数の鏡を利用した背面視認装置であり、背面全身を使用者の正面の鏡に視認できるようにしたものである。
【背景技術】
【０００２】
自身の背面を見るための装置として複数の鏡を組み合わせることが提案されている。自身の背面を視認するために、２枚又は３枚の合せ鏡を使用することは古くからおこなわれている。
複数の鏡を利用した従来の背面視認装置では、自身の背面を視認する場合に、背面鏡が正面鏡に正対した状態の配列では、視認しようとする背面が人物の影になって視認することができないので、鏡を斜めに配置するか、あるいは、正面側に三面鏡を設置している。更に、特許文献１にあるように、背面の視認を簡便におこなえるように４枚の鏡とハーフミラーによって背面を視認する装置が提案されている。
【先行技術文献】
【特許文献】
【０００３】
【特許文献１】実開昭６０−０４０６５７号公報
【特許文献２】実開平１‐６１１６７号公報
【発明の開示】
【発明が解決しようとする課題】
【０００４】
従来の背面視認装置では、人物の背面を映す鏡とその鏡像を正面の鏡に導く鏡を床面に対して直角に設置して平面的に配置していたため、鏡が占拠する平面領域が大きなものとなっていた。
本発明は、鏡が占有する平面領域を小さくし、狭い場所にも設置できるようにするものである。
また、見る人の正面に設置した鏡にその人の全身の背面を映しだすことができ、水平視線で等身大の背面の鏡像が映し出されるようにするものである。
【課題を解決するための手段】
【０００５】
使用者の背面を写す背面鏡と背面鏡が写した背面鏡像を使用者が見る正面鏡と背面鏡が写した背面鏡像を正面鏡に導く背面鏡と正面鏡の間の上方に設置した第１反射鏡と第２反射鏡とからなる背面視認装置であり、背面鏡は鉛直に対して角度θ１傾斜させてあり、背面鏡から前方に離れた上方には背面鏡の鏡像を受ける第１反射鏡が鉛直に対して角度θ２傾斜させてあり、第１反射鏡の前方には第１反射鏡の鏡像を受ける第２反射鏡が鉛直に対して角度θ３傾斜させてあり、更に第２反射鏡の下側には第２反射鏡の鏡像を受ける正面鏡が鉛直に対して角度θ４傾斜させてある背面視認装置である。
そして、背面視認装置の各鏡の鉛直に対する傾斜角(鋭角)の和（θ１＋θ２＋θ３＋θ４）が１８０であり、正面鏡を使用者の目の高さとした背面視認装置である。
更に、正面鏡の設置高さが調整可能である背面視認装置である。
正面鏡の傾斜角度が変更可能であり、正面鏡の傾斜角度の変化に応じて第２反射鏡の傾斜角度が変更される背面視認装置である。
【発明の効果】
【０００６】
本発明によれば、正面の鏡に正対した状態で自己の背面を正面から見ることができ、衣装のフィット具合や背面体型、後側のヘアスタイルや背中の傷などを視認することができる。従来の背面視認装置のように手鏡を保持する必要がなく、両手が自由な状態であるので衣装の着付け直しや後姿の髪の乱れの修正が容易である。
【図面の簡単な説明】
【０００７】
【図１】本発明の背面視認装置の各鏡の概略配置図。
【図２】本発明の背面視認装置における反射軌跡の説明図。
【図３】本発明の背面視認装置の１実施例の側面図。
【図４】本発明の背面視認装置の他の実施例の側面図。
【図５】本発明の背面視認装置の他の実施例の側面図。
【図６】従来の背面視認装置の例を示す鏡の配置図。
【発明を実施するための最良の形態】
【０００８】
図１は、本発明の背面視認装置の鏡の概略配置の側断面図であり、本発明の背面視認装置は、４つの鏡から構成されている。
本発明の背面鏡１は、使用者Ａの背面を映す鏡で、鉛直に対して上向きに傾斜させてあり、使用者Ａはこの背面鏡１に背を向けて使用する。背面鏡1に映った使用者Ａの背面鏡像は上方に反射され、使用者Ａと背面鏡１の間の上方に配置された第１反射鏡２に向かい、この第１反射鏡２が反射した背面鏡像は、使用者Ａの前方上方に配置された第２反射鏡３に向かい、第２反射鏡３は、背面鏡像を使用者Ａの前方に配置された正面鏡４に向けて反射し、使用者Ａは、正面鏡４に映った自己の背面鏡像を正面鏡４内に見るようにしたものである。
【０００９】
以下において、本発明を構成する鏡の鉛直に対する傾斜角は、鋭角で示す。
背面鏡１は、使用者の背面を直接映す役割のもので、鏡面が上を向くように鉛直に対して角度θ１傾斜させてあり、背面鏡１に映った使用者Ａの背面鏡像を上方に反射させるものである。この背面鏡１の傾斜角度θ１は５〜４５度の範囲に設定するのが好ましい。角度θ１を５度未満とすると、背面鏡１から背面鏡像を受ける天井などの上部に設けた第１反射鏡２までの水平距離Ｌ１が長くなり、背面視認装置を設置するための空間が大きくなり、好ましくない。また、角度θ１が４５度を超えると背面鏡１が占有する水平距離Ｌ２が大きくなり、背面鏡１を壁内に収納して隠すことが難しくなるので好ましくない。
【００１０】
背面鏡１の傾斜角度θ１を前述の角度５〜４５度の範囲内で適宜選択するのが好ましいが、この範囲外であっても背面視認装置として機能しないわけでなく、範囲外の角度を採用することが可能である。しかし、背面鏡１を水平以上（９０度以上）の角度で配設することは、使用者の背面を写すことが不可能であるので除外する。
【００１１】
背面鏡１が映す使用者の背面全身が背面鏡１に入るようにするために必要な鏡の長さは、鏡の傾斜角度や設置位置の高さによって異なる。使用者の鏡像をみる上端視線と下端視線の反射軌跡と各鏡の交点が使用者の全身を見るために必要な鏡の端部となることから、使用者Ａの身長に応じて鏡の長さを定める。上半身の背面のみを視認するのが目的であれば、鏡の長さを短くすることができる。
使用者Ａの背面鏡像は、背面鏡１によって上に向かって反射され、使用者の身長より高い位置、例えば天井等に配設された第１反射鏡２に向かう。この第１反射鏡２は、鉛直に対して角度θ２傾斜させて設置してある。
【００１２】
第１反射鏡２で反射された背面鏡像を下向きに反射させる第２反射鏡３が、使用者Ａの前方に鉛直に対して角度θ３傾斜させて設置してあり、この第２反射鏡３で反射された背面鏡像を使用者Ａに向けて反射する正面鏡４が、使用者の水平視線の高さに鉛直に対して角度θ４傾斜させて設置してある。
使用者Ａは、水平視線の位置にある正面鏡４に映った自己の背面を目の高さで見ることができるのである。
正面鏡４を使用者Ａの視線の高さ以外に配置することも可能であるが、使用者Ａが視線を落としたり、上げた状態で自己の背面を見ることになり、服装や髪形の修正に戸惑うことがあるので、水平位置に配置するのが好ましい。
【００１３】
図２は、本発明の背面視認装置において、使用者Ａの背面鏡像を水平視線で見ることができるようにした場合の各鏡１〜４による水平視線の反射経路を示し、各鏡１〜４の鉛直に対する傾斜角度をどのように設定するかを説明するものである。
背面鏡１の鉛直に対する傾斜角はθ１であることから、使用者Ａの水平視線Ｓの背面方向への延長線Ｓ１の背面鏡１への入射角はθ１と等しくなり、背面鏡１による反射軌跡Ｒ１の水平に対する角度ｒ１は、背面鏡１の傾斜角θ１の２倍の２θ１となり、反射軌跡Ｒ１は、天井など使用者Ａの頭上に設置された第１反射鏡２に向かう。
【００１４】
第１反射鏡２は、鉛直に対して角度θ２傾斜させてあるので、反射軌跡Ｒ１は第１反射鏡２で反射されて反射軌跡Ｒ２となり、水平に対する角度ｒ２で第２反射鏡３に向かう。角度ｒ２は、ｒ２＝ｒ１＋２θ２となる。
【００１５】
反射軌跡Ｒ２は、鉛直に対して角度θ３傾斜している第２反射鏡３で反射されて反射軌跡Ｒ３となる。この反射軌跡Ｒ３の水平に対する角度ｒ３は、ｒ３＝ｒ２＋２θ３である。
【００１６】
正面鏡４は使用者Ａの視線の高さに配置されており、使用者Ａの水平視線によって正面鏡４内に自己の背面をみることができる。
正面鏡４において反射軌跡Ｒ３が反射された反射軌跡Ｒ４が水平となって使用者Ａに達するようにすれば、使用者Ａは自己の背面を視線が水平状態で見ることができる。
反射軌跡Ｒ４の水平に対する角度ｒ４は、ｒ４＝ｒ３＋２θ４であるので、角度ｒ４＝３６０（水平）となるように、各鏡の傾斜角度を設定する。
すなわち、ｒ４＝２θ１＋２θ２＋２θ３＋２θ４であるので、各鏡１〜４の傾斜角θ１〜θ４（鋭角）の合計が１８０となるように設定する。
【００１７】
一例として具体的数値をあげると、θ１＝１３度、θ２＝７８度、θ３＝３７度、θ４＝５２度とすることによって、使用者Ａは、自己の背面を水平視線で見ることができる。
使用者Ａの身長に合わせて正面鏡４をその傾斜角度を維持したまま上下動できるものとすれば、使用者の身長の変化に対応することができる。正面鏡４の高さを変更することによって反射経路が鏡から外れることがないように、鏡の大きさを設定する。また、鏡の傾斜角度を維持した状態でスライドできるようにしてもよい。
また、正面鏡４の高さを変えることによって、第２反射鏡３の反射軌跡Ｒ３が正面鏡４の範囲からから外れる場合は、第２反射鏡３と正面鏡４の傾斜角度を連動して増減可能とすることによって、使用者Ａは自己の背面を水平視線で見ることが可能である。
正面鏡４の傾斜角度θ４を△θ増加させたら、歯車機構やベルトなどによって第２反射鏡３の傾斜角度を△θだけ減らすようにすれば、傾斜角度の総和が１８０に維持されるので、鏡像Ｂは水平となる。
【００１８】
各鏡１〜４の傾斜角度の和が１８０であっても、鏡像Ｂが水平とならない場合があり、例えば、図３に示すように、θ１＝４５度、θ２＝４５度、θ３＝６０度、θ４＝３０度の場合、各鏡の傾斜角度θ１〜θ４の総和が１８０であるが、使用者Ａの視線Ｓの背面方向への延長線Ｓ１が背面鏡１と交差しない場合は、鏡像Ｂは水平視線Ｓの上側または下側にずれて見えることになる。
また、図４に示すように、水平視線Ｓの背面方向への延長線Ｓ１（点線）が背面鏡１と交差していても、各鏡４〜１による使用者Ａの水平視線の反射経路Ｐ１−Ｐ２−Ｐ３−Ｐ４（実線）と、延長線Ｓ１の背面鏡１、及び第１、第２反射鏡２、３による点線で示す反射軌跡Ｒ１、Ｒ２と軌跡が一致せず、水平視線Ｓの背面方向への延長線Ｓ１と背面鏡１上で交差しない場合、鏡像Ｂは水平視線Ｓの上側にずれることになる。
以上のことを踏まえ、背面視認装置の使用目的に応じて各鏡１〜４の大きさ、設置位置、及び傾斜角度を設計する。
【００１９】
各鏡１〜４の傾斜角度の和が１８０とならない場合は、鏡像は直立した像とならず、傾斜することになる。
図５に示す例は、各鏡の傾斜角度の和が１８０とならない場合である。θ１＝１８度、θ２＝７４度、θ３＝３４度、θ４＝４９度とした例であり、θ１＋θ２＋θ３＋θ４＝１７５であり、総和が１８０から５ずれていることから、鏡像Ｂは、このずれの角度の２倍の角度１０度傾いて見える。
【符号の説明】
【００２０】
１    背面鏡
２    第１反射鏡
３    第２反射鏡
４    正面鏡
Ａ    使用者
Ｂ    鏡像
Ｒ１〜Ｒ４    反射軌跡
Ｓ    水平視線
Ｓ１      水平視線の背面方向への延長線
θ１〜θ４  鏡の鉛直に対する傾斜角度（鋭角）
ｒ１〜ｒ４    反射経路の水平に対する角度
【図６】
2016158882.tif 000003
【図１】
2016158882.tif 000004
【図２】
2016158882.tif 000005
【図３】
2016158882.tif 000006
【図４】
2016158882.tif 000007
【図５】
2016158882.tif 000008